(57)【要約】      （修正有）【課題】水流に極めて微小な気泡を添加可能な微小気泡発生装置及びその組を提供する。【解決手段】外本体１０の内部に組み付けられており、外本体は、収容空間を囲み、その両端に、入水口１１と、出水口１２とが設けられており、第１端２１と、第２端２２と、を有し、第１端は入水口と連通し、第１端と第２端との間には、外径のより小さい縮径部２３が設けられており、水が、入水穴２４、流路及び水流出口２６を経由して、水流れ空間に流入して、水流入口２７から収容空間に流入して、エア流路からのエアと混合する混合管２０と、第３端と、第４端と、を有し、第３端は混合管の第２端と連接する縮径チューブ３０と、縮径チューブの第４端と連接する円錐状網４０と、円錐状網の縮径チューブから遠ざかった一端に設けられており、そのメッシュの大きさが円錐状網のメッシュの大きさより小さいろ過網５０と、ろ過網の円錐状網から遠ざかった一端に設けられている出水網６０と、を含む。【選択図】図２
0003202305.tif 000002
【実用新案登録請求の範囲】
【請求項１】
外本体の内部に組み付けられており、前記外本体は、収容空間を囲み、その両端に、入水口と、出水口とが設けられており、
第１端と、第２端と、を有し、前記第１端は前記入水口と連通し、前記第１端と前記第２端との間には、外径のより小さい縮径部が設けられており、前記縮径部と前記外本体の裏壁との間に水流れ空間が形成され、前記縮径部の前記第１端に近接する箇所を第１縮径部とし、前記縮径部の前記第２端に近接する箇所を第２縮径部とし、前記第１端の端部に入水穴が複数設けられており、その内部において、前記第１端と前記第１縮径部との間には、軸方向に沿って延びる流路が複数形成されており、前記流路は前記入水穴と連通し、前記第１縮径部には、これらの前記流路と連通する水流出口が複数形成されており、前記第１縮径部と前記第２縮径部との間に仕切板が設けられており、前記仕切板により、前記第１縮径部と前記第２縮径部が仕切られ、前記第２縮径部の内部と前記仕切板とより収容空間が構成され、前記第２縮径部に水流入口が複数形成されており、前記水流入口は前記収容空間と連通し、前記第１端と前記第１縮径部との間には、エア入り口が形成されており、前記仕切板にエア出口が形成されており、エア流路が前記エア入り口と前記エア出口を連接し、前記エア流路により、前記エア入り口と前記エア出口が連通し、前記エア流路は前記収容空間と連通し、水が、前記入水穴、前記流路及び前記水流出口を経由して、前記水流れ空間に流入して、前記水流入口から前記収容空間に流入して、前記エア流路からのエアと混合する混合管と、
第３端と、第４端と、を有し、前記第３端は前記混合管の前記第２端と連接し、その軸方向に沿って縮径流路が形成されており、前記縮径流路は、前記第３端に近接する開口の内径が前記第４端に近接する開口の内径より大きい縮径チューブと、
前記縮径チューブの前記第４端と連接し、円錐状を呈し、円錐先端を有し、前記円錐先端が前記縮径チューブの前記第４端に向く円錐状網と、
前記円錐状網の前記縮径チューブから遠ざかった一端に設けられており、そのメッシュの大きさが前記円錐状網のメッシュの大きさより小さいろ過網と、
前記ろ過網の前記円錐状網から遠ざかった一端に設けられている出水網と、
を含み、
これらの前記入水穴は、前記混合管の中心軸を囲むように配列されており、前記水流出口は、前記混合管の軸方向に平行するように延び、その延長線が前記混合管の中心軸を通過せず、前記水流入口は、前記混合管の軸方向に平行するように延び、その延長線が前記混合管の中心軸を通過せず、前記エア流路は前記混合管の軸方向に沿って延びることを特徴とする微小気泡発生装置。
【請求項２】
前記エア流路は前記混合管の中心軸に位置することを特徴とする、請求項１に記載の微小気泡発生装置。
【請求項３】
これらの前記水流出口の外端の開口は、同じ角度を置いて円周に沿って配列されていることを特徴とする、請求項１に記載の微小気泡発生装置。
【請求項４】
前記ろ過網の中央に第１貫通孔が少なくとも一つ設けられており、前記第１貫通孔の内径は、前記ろ過網のメッシュの大きさより大きいことを特徴とする、請求項１に記載の微小気泡発生装置。
【請求項５】
請求項１から４のうちの何れか１項の微小気泡発生装置と、前記外本体と、を含むことを特徴とする微小気泡発生装置組。
【請求項６】
前記外本体に通気穴が設けられており、前記通気穴は前記エア入り口と連通し、エアは外部から前記通気穴を経由して前記エア入り口に流入可能であることを特徴とする、請求項５に記載の微小気泡発生装置組。
【請求項７】
前記外本体の前記出水口は、前記外本体の内径より小さく、その近傍に階段部が形成されており、前記出水網は、円柱状を呈し、前記ろ過網に近接する一端の外周面に環状凸縁が形成されており、前記環状凸縁は前記階段部に押付け、前記出水網の前記ろ過網から遠ざかった一端に網部が形成されていることを特徴とする、請求項５に記載の微小気泡発生装置組。
【請求項８】
締結部材は、前記外本体の前記入水口に設けられており、その裏壁には、蛇口に締結するための内ねじ部が設けられていることを特徴とする、請求項７に記載の微小気泡発生装置組。
【考案の詳細な説明】
【技術分野】
【０００１】
本考案は、微小気泡発生装置に関するものである。
【背景技術】
【０００２】
近年、水質浄化、殺菌及び節水などの効果を得るために、水道水の蛇口に微小気泡発生器を取付けることがよくある。微小気泡発生器を取付ける目的は、水道水に微小な気泡を混入することにある。
【０００３】
例えば特許文献１の日本実用新案登録ＪＰ  ３１４５９１４  Ｕに記載の微小気泡発生器がある。このような微小気泡発生器は、傾斜する流れ穴により、水流を回転させ、加速効果を得ることが可能であり、エアが水流に吸入されることが可能となり、そしてボール状の磁石などの構造により、気泡を粉砕する。これにより、水道水に微小な気泡を添加することが可能である。
【０００４】
しかしながら、上記の構成によれば、傾斜する流れ穴により水流が一回だけに加速され、しかし、もっと加速する必要があり、そして磁石構造を採用すると、生産コストが高く、作動が不安定であり、水流が不安定であり、気泡の大きさにバラツキがある。
【先行技術文献】
【特許文献】
【０００５】
【特許文献１】実用新案登録第３１４５９１４号公報
【考案の概要】
【考案が解決しようとする課題】
【０００６】
本考案の主な目的は、水流に極めて微小な気泡を添加可能な微小気泡発生装置を提供することにある。
【課題を解決するための手段】
【０００７】
本考案の微小気泡発生装置によると、外本体の内部に組み付けられており、外本体は、収容空間を囲み、その両端に、入水口と、出水口とが設けられており、第１端と、第２端と、を有し、第１端は入水口と連通し、第１端と第２端との間には、外径のより小さい縮径部が設けられており、縮径部と外本体の裏壁との間に水流れ空間が形成され、縮径部の第１端に近接する箇所を第１縮径部とし、縮径部の第２端に近接する箇所を第２縮径部とし、第１端の端部に入水穴が複数設けられており、その内部において、第１端と第１縮径部との間には、軸方向に沿って延びる流路が複数形成されており、流路は入水穴と連通し、第１縮径部には、これらの流路と連通する水流出口が複数形成されており、第１縮径部と第２縮径部との間に仕切板が設けられており、仕切板により、第１縮径部と第２縮径部が仕切られ、第２縮径部の内部と仕切板とより収容空間が構成され、第２縮径部に水流入口が複数形成されており、水流入口は収容空間と連通し、第１端と第１縮径部との間には、エア入り口が形成されており、仕切板にエア出口が形成されており、エア流路がエア入り口とエア出口を連接し、エア流路により、エア入り口とエア出口が連通し、エア流路は収容空間と連通し、水が、入水穴、流路及び水流出口を経由して、水流れ空間に流入して、水流入口から収容空間に流入して、エア流路からのエアと混合する混合管と、第３端と、第４端と、を有し、第３端は混合管の第２端と連接し、その軸方向に沿って縮径流路が形成されており、縮径流路は、第３端に近接する開口の内径が第４端に近接する開口の内径より大きい縮径チューブと、縮径チューブの第４端と連接し、円錐状を呈し、円錐先端を有し、円錐先端が縮径チューブの第４端に向く円錐状網と、円錐状網の縮径チューブから遠ざかった一端に設けられており、そのメッシュの大きさが円錐状網のメッシュの大きさより小さいろ過網と、ろ過網の円錐状網から遠ざかった一端に設けられている出水網と、を含み、これらの入水穴は、混合管の中心軸を囲むように配列されており、水流出口は、混合管の軸方向に平行するように延び、その延長線が混合管の中心軸を通過せず、水流入口は、混合管の軸方向に平行するように延び、その延長線が混合管の中心軸を通過せず、エア流路は混合管の軸方向に沿って延びることを特徴とする。
【０００８】
本考案の微小気泡発生装置によると、エア流路は混合管の中心軸に位置することを特徴とする。
【０００９】
本考案の微小気泡発生装置によると、これらの水流出口の外端の開口は、同じ角度を置いて円周に沿って配列されていることを特徴とする。
【００１０】
本考案の微小気泡発生装置によると、ろ過網の中央に第１貫通孔が少なくとも一つ設けられており、第１貫通孔の内径は、ろ過網のメッシュの大きさより大きいことを特徴とする。
【００１１】
本考案の微小気泡発生装置組によると、請求項１から４のうちの何れか１項の微小気泡発生装置と、外本体と、を含むことを特徴とする。
【００１２】
本考案の微小気泡発生装置組によると、外本体に通気穴が設けられており、通気穴はエア入り口と連通し、エアは外部から通気穴を経由してエア入り口に流入可能であることを特徴とする。
【００１３】
本考案の微小気泡発生装置組によると、外本体の出水口は、外本体の内径より小さく、その近傍に階段部が形成されており、出水網は、円柱状を呈し、ろ過網に近接する一端の外周面に環状凸縁が形成されており、環状凸縁は階段部に押付け、出水網のろ過網から遠ざかった一端に網部が形成されていることを特徴とする。
【００１４】
本考案の微小気泡発生装置組によると、締結部材は、外本体の入水口に設けられており、その裏壁には、蛇口に締結するための内ねじ部が設けられていることを特徴とする。
【考案の効果】
【００１５】
本考案の微小気泡発生装置によれば、ダブル水流による加速により、水流に極めて微小な気泡を添加することが可能であり、そして三層の網を有する構造により、気泡をもっと微小化することが可能であるという効果を有する。
【図面の簡単な説明】
【００１６】
【図１】本考案の一実施形態を示す斜視図である。
【図２】本考案の一実施形態を示す分解斜視図である。
【図３】本考案の一実施形態を示す分解断面図である。
【図４】本考案に係る第１縮径部を示す断面図である。
【図５】本考案に係る第１縮径部を示す断面図である。
【図６】本考案の一実施形態を示す断面図である。
【図７】本考案の一実施形態の水の流動状態を示す図である。
【図８】本考案の一実施形態の使用状態を示す図である。
【考案を実施するための形態】
【００１７】
以下、本考案の実施の形態を図面に基づいて説明する。
【００１８】
図１ないし図８を参照する。本実施形態に係る微小気泡発生装置組は、微小気泡発生装置と、外本体１０と、を含む。外本体１０は、収容空間を囲み、その両端に、入水口１１と、出水口１２とが設けられている。前記微小気泡発生装置は、混合管２０と、縮径チューブ３０と、円錐状網４０と、ろ過網５０と、出水網６０と、締結部材７０と、を含む。
【００１９】
混合管２０は、第１端２１と、第２端２２と、を有する。第１端２１は入水口１１と連通する。第１端２１と第２端２２との間には、外径のより小さい縮径部２３が設けられている。縮径部２３と外本体１０の裏壁との間に水流れ空間Ｓが形成される。縮径部２３の第１端２１に近接する箇所を第１縮径部２３１とし、縮径部２３の第２端２２に近接する箇所を第２縮径部２３２とする。第１端２１の端部に入水穴２４が複数設けられている。これらの入水穴２４は、混合管２０の中心軸を囲むように配列されている。混合管２０の内部において、第１端２１と第１縮径部２３１との間には、軸方向に沿って延びる流路２５が複数形成されている。流路２５は入水穴２４と連通する。第１縮径部２３１には、これらの流路２５と連通する水流出口２６が複数形成されている。水流出口２６は、混合管２０の軸方向に平行するように延び、その延長線が混合管２０の中心軸を通過しない。第１縮径部２３１と第２縮径部２３２との間に仕切板２８が設けられている。仕切板２８により、第１縮径部２３１と第２縮径部２３２が仕切られる。第２縮径部２３２の内部と仕切板２８とより収容空間２３２１が構成される。第２縮径部２３２に水流入口２７が複数形成されている。水流入口２７は、混合管２０の軸方向に平行するように延び、その延長線が混合管２０の中心軸を通過しない。水流入口２７は収容空間２３２１と連通する。第１端２１と第１縮径部２３１との間には、エア入り口２９１が形成されている。エア流路２９は混合管２０の軸方向に沿って延びる。仕切板２８にエア出口２８１が形成されている。エア流路２９はエア入り口２９１とエア出口２８１を連接する。エア流路２９により、エア入り口２９１とエア出口２８１が連通する。エア流路２９は収容空間２３２１と連通する。水は、入水穴２４、流路２５及び水流出口２６を経由して、水流れ空間Ｓに流入して、水流入口２７から収容空間２３２１に流入して、エア流路２９からのエアと混合する。本実施形態では、エア流路２９は混合管２０の中心軸に位置し、これらの水流出口２６の外端の開口は、同じ角度を置いて円周に沿って配列されている。一方、外本体１０に通気穴１３が設けられている。通気穴１３はエア入り口２９１と連通する。エアは外部から通気穴１３を経由してエア入り口２９１に流入可能である。特に、通気穴１３は、大気に露出してもいいし、エア供給装置と接続してもよい。これにより、水流に極めて微小な気泡を添加することが可能であり、殺菌及び医療効果などの特殊効果を得ることが可能である。
【００２０】
縮径チューブ３０は、第３端と、第４端と、を有する。前記第３端は混合管２０の前記第２端と連接する。縮径チューブ３０の軸方向に沿って縮径流路３１が形成されている。縮径流路３１は、前記第３端に近接する開口の内径が前記第４端に近接する開口の内径より大きい。
【００２１】
円錐状網４０は、縮径チューブ３０の前記第４端と連接し、円錐状を呈し、円錐先端を有する。前記円錐先端は縮径チューブ３０の前記第４端に向く。
【００２２】
ろ過網５０は、円錐状網４０の縮径チューブ３０から遠ざかった一端に設けられており、そのメッシュの大きさが円錐状網４０のメッシュの大きさより小さい。本実施形態では、ろ過網５０の中央に第１貫通孔５１が設けられている。第１貫通孔５１の内径は、ろ過網５０のメッシュの大きさより大きい。
【００２３】
出水網６０は、ろ過網５０の円錐状網４０から遠ざかった一端に設けられている。本実施形態では、外本体１０の出水口１２は、外本体１０の内径より小さく、その近傍に階段部１２１が形成されている。出水網６０は、円柱状を呈し、ろ過網５０に近接する一端の外周面に環状凸縁６１が形成されている。環状凸縁６１は階段部１２１に押付ける。出水網６０のろ過網５０から遠ざかった一端に網部６２が形成されている。
【００２４】
中空な締結部材７０は、外本体１０の入水口１１に設けられていることにより、混合管、縮径チューブ、円錐状網、ろ過網及び出水網が定位される。締結部材７０の裏壁には、蛇口８０の外ねじ部８１と螺合するための内ねじ部７２が設けられている。
【００２５】
別の実施形態では、外本体は、シャワーヘッド又は蛇口の出水口に近接する外管でもよい。この場合には、本考案に係る微小気泡発生装置を当該外管に直接に組付けると、水流に微小な気泡を添加することが可能である。
【００２６】
本実施形態に係る微小気泡発生装置によれば、ダブル水流による加速により、水流に極めて微小な気泡を添加することが可能であり、そして三層の網を有する構造により、気泡をもっと微小化することが可能であり、水質を浄化するという効果を得ることが可能である。
【００２７】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２８】
本考案は、微小気泡発生装置に適用することができる。
【符号の説明】
【００２９】
１０    外本体
１１    入水口
１２    出水口
１３    通気穴
２０    混合管
２１    第１端
２２    第２端
２３    縮径部
２４    入水穴
２５    流路
２６    水流出口
２７    水流入口
２８    仕切板
２９    エア流路
３０    縮径チューブ
３１    縮径流路
４０    円錐状網
５０    ろ過網
５１    第１貫通孔
６０    出水網
６１    環状凸縁
６２    網部
７０    締結部材
７２    内ねじ部
８０    蛇口
８１    外ねじ部
１２１    階段部
２３１    第１縮径部
２３２    第２縮径部
２８１    貫通孔
２９１    エア入り口
２３２１    収容空間
Ｓ    水流れ空間
【図１】
0003202305.tif 000003
【図２】
0003202305.tif 000004
【図３】
0003202305.tif 000005
【図４】
0003202305.tif 000006
【図５】
0003202305.tif 000007
【図６】
0003202305.tif 000008
【図７】
0003202305.tif 000009
【図８】
0003202305.tif 000010